(57)【要約】【課題】湿り蒸気に存在する液滴の除去性能を向上する。【解決手段】実施形態による湿分分離ユニットは、複数の捕集手段を有し一部が曲折した蒸気流路を相互間に形成する複数の蒸気流路形成部材を備えた蒸気乾燥部と、蒸気乾燥部の上流側入口面に設けられて湿り蒸気から液滴を捕捉して液滴の径を増大させ、互いに並列に配列されて供給された湿り蒸気の受け入れ口から蒸気乾燥部まで延びた複数の管状流路１１ｃを有する液滴径粗大化装置とを有する。管状流路１１ｃのそれぞれは、微小液滴を衝突および凝集させるために当該管路の長手方向である流路を横断する障害物１５を有する。【選択図】図４
2015124925.tif 000002
【特許請求の範囲】
【請求項１】
蒸気中に液滴を含む湿り蒸気中の液滴を前記蒸気から除去する湿分分離ユニットにおいて、
前記液滴を捕集する複数の捕集手段を設けており、少なくとも一部が曲折した蒸気流路を相互間に形成する複数の蒸気流路形成部材を備えた蒸気乾燥部と、
前記蒸気乾燥部の上流側入口面に設けられて、互いに並列に配列されて前記供給された湿り蒸気の受け入れ口から前記蒸気乾燥部まで延びた複数の管状流路を有する液滴径粗大化装置と、
を具備し、
前記管状流路を軸方向から見た投影面において、前記管状流路を横断する障害物を有する、
ことを特徴とする湿分分離ユニット。
【請求項２】
前記管状流路は、多角柱形状であることを特徴とする請求項１に記載の湿分分離ユニット。
【請求項３】
前記管状流路は、軸方向に垂直な断面が、多角形の辺を内側に凸となる曲線とした形状であることを特徴とする請求項１記載の湿分分離ユニット。
【請求項４】
前記障害物は、長手方向に垂直な面内に設けられていることを特徴とする請求項１ないし請求項３のいずれか一項に記載の湿分分離ユニット。
【請求項５】
前記障害物は、前記管状流路の流れ方向に互いに一定の間隔をもって設けられたことを特徴とする請求項１ないし請求項４のいずれか一項に記載の湿分分離ユニット。
【請求項６】
前記障害物は、前記管状流路の流れ方向に透視すると流れ方向に隣接する障害物同士が互いに異なる位置にあることを特徴とする請求項１ないし請求項５のいずれか一項に記載の湿分分離ユニット。
【請求項７】
蒸気中に液滴を含む湿り蒸気中の液滴を前記蒸気から除去する湿分分離ユニットの液滴径粗大化装置であって、
前記液滴を捕集する複数の捕集手段を設けており、少なくとも一部が曲折した蒸気流路を相互間に形成する複数の蒸気流路形成部材を備えた蒸気乾燥部の上流側入口面に設けられて、
前記湿り蒸気から前記液滴を捕捉して前記液滴の径を増大させ、互いに並列に配列されて前記供給された湿り蒸気の受け入れ口から前記蒸気乾燥部まで延びた複数の管状流路を有する液滴径粗大化装置と、
を具備し、
前記管状流路を軸方向から見た投影面において、前記管状流路を横断する障害物を有する、
ことを特徴とする液滴径粗大化装置。
【請求項８】
蒸気中に液滴を含む湿り蒸気を受け入れて前記蒸気中の液滴を分離する蒸気乾燥器において、
前記蒸気中の液滴を除去する湿分分離ユニットと、
前記除去されて前記湿分分離ユニットの下方に落下した液滴を集積し移送するドレン処理部と、
を備え、
前記湿分分離ユニットは、
前記液滴を捕集する複数の捕集手段を設けており、少なくとも一部が曲折した蒸気流路を相互間に形成する複数の蒸気流路形成部材を備えた蒸気乾燥部と、
前記蒸気乾燥部の上流側入口面に設けられて、互いに並列に配列されて前記供給された湿り蒸気の受け入れ口から前記蒸気乾燥部まで延びた複数の管状流路を有する液滴径粗大化装置と、
を具備し、
前記管状流路を軸方向から見た投影面において、前記管状流路を横断する障害物を有する、
ことを特徴とする蒸気乾燥器。
【発明の詳細な説明】
【技術分野】
【０００１】
本発明の実施形態は、湿り蒸気から液滴を分離する蒸気乾燥器、これに用いられる湿分分離ユニット、および湿分分離ユニットに用いられる液滴径粗大化装置に関する。
【背景技術】
【０００２】
一般に、加圧水型原子炉（ＰＷＲ）の蒸気発生器や沸騰水型原子炉（ＢＷＲ）の炉心で発生した蒸気は湿り蒸気であり、蒸気乾燥器で湿り蒸気中に浮遊する液滴を除去された後に、蒸気タービンへ供給される。すなわち、蒸気乾燥器は、蒸気タービンにおいて液滴が翼に衝突することによって生じる翼浸食、動翼と液滴の衝突で生じる制動損失、および蒸気と液滴との速度差により生じる摩擦損失の原因となる液滴を蒸気中から除去する機能を有する。
【０００３】
このような蒸気乾燥器としては、波板型のベーンを複数立設して形成した流路に湿り蒸気を導き、慣性力により蒸気から液滴を分離する原理に基づくものが一般的に使用されている。
【先行技術文献】
【特許文献】
【０００４】
【特許文献１】米国特許出願公開第２０１１／０２１６８７２号明細書
【発明の概要】
【発明が解決しようとする課題】
【０００５】
波板型ベーンを用いた蒸気乾燥部は粗大液滴であれば、ほぼ１００％除去する能力がある。しかしながら、蒸気乾燥器に流入してくる蒸気中の液滴は粒径が分布している。中でも慣性力の小さい微小な液滴については、粗大液滴に比較して捕獲率が低い。
【０００６】
そこで本発明の実施形態は、湿り蒸気に存在する液滴の除去性能を向上することを目的とする。
【課題を解決するための手段】
【０００７】
上述の目的を達成するため、本実施形態は、蒸気中に液滴を含む湿り蒸気中の液滴を前記蒸気から除去する湿分分離ユニットにおいて、前記液滴を捕集する複数の捕集手段を設けており、少なくとも一部が曲折した蒸気流路を相互間に形成する複数の蒸気流路形成部材を備えた蒸気乾燥部と、前記蒸気乾燥部の上流側入口面に設けられて、互いに並列に配列されて前記供給された湿り蒸気の受け入れ口から前記蒸気乾燥部まで延びた複数の管状流路を有する液滴径粗大化装置と、を具備し、前記管状流路を軸方向から見た投影面において、前記管状流路を横断する障害物を有する、ことを特徴とする。
【０００８】
また、本実施形態は、蒸気中に液滴を含む湿り蒸気中の液滴を前記蒸気から除去する湿分分離ユニットの液滴径粗大化装置であって、前記液滴を捕集する複数の捕集手段を設けており、少なくとも一部が曲折した蒸気流路を相互間に形成する複数の蒸気流路形成部材を備えた蒸気乾燥部の上流側入口面に設けられて、前記湿り蒸気から前記液滴を捕捉して前記液滴の径を増大させ、互いに並列に配列されて前記供給された湿り蒸気の受け入れ口から前記蒸気乾燥部まで延びた複数の管状流路を有する液滴径粗大化装置と、を具備し、前記管状流路を軸方向から見た投影面において、前記管状流路を横断する障害物を有する、ことを特徴とする。
【０００９】
また、本実施形態は、蒸気中に液滴を含む湿り蒸気を受け入れて前記蒸気中の液滴を分離する蒸気乾燥器において、前記蒸気中の液滴を除去する湿分分離ユニットと、前記除去されて前記湿分分離ユニットの下方に落下した液滴を集積し移送するドレン処理部と、を備え、前記湿分分離ユニットは、前記液滴を捕集する複数の捕集手段を設けており、少なくとも一部が曲折した蒸気流路を相互間に形成する複数の蒸気流路形成部材を備えた蒸気乾燥部と、前記蒸気乾燥部の上流側入口面に設けられて、互いに並列に配列されて前記供給された湿り蒸気の受け入れ口から前記蒸気乾燥部まで延びた複数の管状流路を有する液滴径粗大化装置と、を具備し、前記管状流路を軸方向から見た投影面において、前記管状流路を横断する障害物を有する、ことを特徴とする。
【発明の効果】
【００１０】
本発明の実施形態によれば、湿り蒸気に存在する液滴の除去性能を向上することができる。
【図面の簡単な説明】
【００１１】
【図１】第１の実施形態に係る湿分分離ユニットを適用した蒸気乾燥器の構成を示す立断面図である。
【図２】第１の実施形態に係る湿分分離ユニットの全体の構成を示す図１のＩＩ−ＩＩ線矢視水平断面図である。
【図３】第１の実施形態に係る湿分分離ユニットの液滴径粗大化装置の正面図である。
【図４】第１の実施形態に係る湿分分離ユニットの液滴径粗大化装置の１つのユニットの流路方向に垂直な立断面図である。
【図５】第１の実施形態に係る湿分分離ユニットの液滴径粗大化装置の１つのユニットの流路方向に沿った立断面図である。
【図６】第２の実施形態に係る湿分分離ユニットの液滴径粗大化装置の１つのユニットの流路方向に沿った立断面図である。
【図７】第２の実施形態に係る湿分分離ユニットの液滴径粗大化装置の１つのユニットの流路方向に垂直な立断面図である。
【図８】第３の実施形態に係る湿分分離ユニットの液滴径粗大化装置の１つのユニットの流路方向に沿った立断面図である。
【図９】第３の実施形態に係る湿分分離ユニットの液滴径粗大化装置の１つのユニットの流路に垂直な立断面図である。
【図１０】第４の実施形態に係る湿分分離ユニットの液滴径粗大化装置の１つのユニットの流路方向に沿った立断面図である。
【図１１】第４の実施形態に係る湿分分離ユニットの液滴径粗大化装置の１つのユニットの流路に垂直な立断面図である。
【図１２】第５の実施形態に係る湿分分離ユニットを適用した湿分分離加熱器の構成を示す立断面図である。
【図１３】その他の実施形態に係る湿分分離ユニットの液滴径粗大化装置の入口側の正面図である。
【発明を実施するための形態】
【００１２】
以下、図面を参照して、本発明の実施形態に係る湿分分離ユニットについて説明する。ここで、互いに同一または類似の部分には、共通の符号を付して、重複説明は省略する。
【００１３】
［第１の実施形態］
図１は、第１の実施形態に係る湿分分離ユニットを適用した蒸気乾燥器の構成を示す立断面図である。また、図２は、第１の実施形態に係る湿分分離ユニットの全体の構成を示す図１のＩＩ−ＩＩ線矢視水平断面図である。蒸気乾燥器１は、液滴径粗大化装置１０と蒸気乾燥部２０を有する湿分分離ユニット２、出口側多孔パネル３１、ドレン樋３３とドレンチャンネル３４を有するドレン処理部３２、フード３５、支持板３６、および支持部材３８を備え、蒸気中に液滴を含む湿り蒸気を受け入れて、蒸気中の液滴と蒸気とを分離し、蒸気中の湿り度を低減する。
【００１４】
支持板３６上には、ドレン樋３３が搭載されている。ドレン樋３３は、上部、下部が開放された四角筒形状である。ドレン樋３３上には、液滴径粗大化装置１０およびその下流側に相当する蒸気乾燥部２０が配置されている。液滴径粗大化装置１０および蒸気乾燥部２０の上部は支持部材３８により結合されている。
【００１５】
支持板３６のドレン樋３３の横には蒸気入口開口部３７が形成されている。また、蒸気乾燥部２０の下流側には出口側多孔パネル３１が設けられている。蒸気入口開口部３７から液滴径粗大化装置１０の入口側に至る蒸気の流路は、フード３５により覆われ、蒸気がスムーズに流れるようにガイドされる。図１の矢印に示すように、蒸気入口開口部３７から流入した蒸気は、フード３５内を上昇して、液滴径粗大化装置１０に水平に流入する。液滴径粗大化装置１０から流失した蒸気は、蒸気乾燥部２０に流入し、ほぼ水平方向にジグザグ流路２２（図２）内で方向を転換しながら流れ、出口側多孔パネル３１から、ほぼ水平方向に流出する。
【００１６】
支持板３６のドレン樋３３に囲まれた部分には、互いに間隔をおいてドレン孔３３ａが形成されている。支持板３６の下面には、ドレン樋３３にほぼ対応する範囲にドレンチャンネル３４が取り付けられている。ドレンチャンネル３４は、ドレン孔３３ａから流下するドレンを受けて、長手方向（図１の断面に垂直な方向）に移送可能に構成されている。
【００１７】
蒸気乾燥部２０は、慣性力により湿り蒸気から液滴を分離するための複数のベーン２１を備えている。ベーン２１は波板型であり、蒸気乾燥部２０においては、ベーン２１を互いに間隔をあけて複数配置して、入口側から出口側に向かうジグザグ流路２２が形成され、また、ベーン２１の壁面には開けられたベーンポケット２１ａが形成されている。蒸気乾燥部２０は、湿り蒸気中に含まれる液滴をベーン２１の壁面に付着させて液膜としてベーンポケット２１ａに流入させ、その液膜を重力により流下させる。また、蒸気乾燥部２０は、湿り蒸気から液滴が分離された蒸気をジグザグ流路２２により水平方向に導く。
【００１８】
液滴径粗大化装置１０は、蒸気乾燥部２０の上流側の入口面に設けられている。液滴径粗大化装置１０は、互いに並列に水平に配列されて、蒸気乾燥部２０まで延びた複数のひし形管１１ａを有する。なお、ひし形管１１ａは、発生する液だまり、すなわちドレンが蒸気乾燥部２０側に流れるようにドレン勾配が形成されていてもよい。
【００１９】
液滴径粗大化装置１０および蒸気乾燥部２０の上端部は支持部材３８により支持され、液滴径粗大化装置１０および下端部および蒸気乾燥部２０の下端部はドレン樋３２の内幅内に設置されている。支持板３６には、液滴径粗大化装置１０に導くための貫通孔である蒸気入口開口部３７が設けられ、蒸気入口開口部３７から液滴径粗大化装置１０入口に至る入り口蒸気の流路は、フード３５により覆われている。
【００２０】
ドレン樋３３は、蒸気乾燥部２０から流下したドレン水を捕集する。支持板３６には、ドレン樋３３内のドレン水をドレンチャンネル３４内に導くための貫通孔であるドレン孔３３ａが設けられている。ドレンチャンネル３４は、ドレン樋３３内のドレン水をドレン孔３３ａから捕集し、そのドレン水を支持板３６の最外周部に導いて原子炉水面に排水する。
【００２１】
図３は、第１の実施形態に係る湿分分離ユニットの液滴径粗大化装置の正面図である。それぞれのひし形管１１ａにおいて、ひし形管１１ａの側面である４つの管壁１１ｂ（図４）は、左右対称に傾斜している。また、ひし形管１１ａは、互いに間隔をあけずに側面を密着させるように積層されており、それぞれ、管状流路、すなわち、ひし形流路１１ｃを形成している。
【００２２】
また、上下左右に配列されたひし形管１１ａの周辺には、三角管１２ａ、１２ｂが配列されており、液滴径粗大化装置１０に流入した蒸気は、ひし形管１１ａ、三角管１２ａ、１２ｂのいずれかに流入する。
【００２３】
図４は、第１の実施形態に係る湿分分離ユニットの液滴径粗大化装置の１つのユニットの流路方向に垂直な立断面図である。また、図５は、第１の実施形態に係る湿分分離ユニットの液滴径粗大化装置の１つのユニットの流路方向に沿った立断面図である。
【００２４】
ひし形流路１１ｃの入り口近傍において、互いに隣接する管壁１１ｂの接合部１４ａ、１４ｂ、１４ｃ、１４ｄ間に、流路を軸方向から見た投影面において流路を横断するように、障害物としてのワイヤ１５が設けられている。すなわち、互いに対向する接合部１４ａと接合部１４ｃ間に鉛直に、また、互いに対向する接合部１４ｂと接合部１４ｄ間に水平に、それぞれワイヤ１５が設けられている。なお、図４では、２本のワイヤは、流路方向に垂直な同一平面内にあって、互いに交差して、交差部で一体化している場合を示しているが、これに限定されない。２本のワイヤが、互いに同一平面上にはなく長手方向に透視した交差部で、互いに接触しない場合でもよい。また、ワイヤ１５は、ひし形流路１１ｃの入り口近傍に設けている場合を示したが、ひし形流路１１ｃの入口に設けることでもよい。
【００２５】
以上、ひし形管１１ａに設けるワイヤ１５について説明したが、三角管１２ａ、１２ｂについても同様にワイヤを設けることでもよい。この場合は、ワイヤは、たとえば、互いに隣接する側面の接合部と、この接合部に対向する側面との間をつなぐように設けることでよい。
【００２６】
なお、ワイヤは、流路方向に垂直な面内に設ける場合を示したが、流路方向に対して面の上端が上流側、下端が下流側に傾いている場合でもよい。この際、ワイヤに付着した液滴にかかる蒸気の流体力と重力とを考慮して傾きを設定することが望ましい。
【００２７】
液滴を含んだ湿り蒸気が液滴径粗大化装置１０へ流入すると、ひし形流路１１ｃの入り口近傍に設けられたワイヤ１５に液滴が衝突し、捕獲される。捕獲された液滴は凝集し、ワイヤ１５上、ワイヤ１５同士の間、あるいはワイヤ１５と管壁１１ｂとの間に、液膜１７を形成する。この液膜１７は重力によりワイヤ１５やひし形管１１ａの管壁１１ｂを伝わって、ひし形管１１ａの底部、すなわちひし形流路１１ｃの下方へ移動し、液溜まり１８となる。一旦、液溜まり１８が形成されると、ワイヤ１５に衝突せずにキャリーオーバーした流入液滴１６ａは重力によって下方に移動し、液溜まり１８に衝突し、吸収される。この結果、液滴がひし形流路１１ｃからキャリーオーバーするという事態も防ぐことができる。
【００２８】
なお、重力で液溜まり１８に落下するよりも、蒸気の流れによりひし形流路１１ｃから流出する極めて微小な微小液滴１６ｂが存在する。しかしながら、このような捕獲されずに流出する微小液滴１６ｂが存在するとしても、液滴径粗大化装置１０の出口での蒸気中の液滴の存在割合が大幅に低下し、さらに蒸気乾燥部２０を通過して、蒸気乾燥器１の出口で、蒸気乾燥器１に要求される所定の捕獲効率が確保されていれば目的は達せられることになる。
【００２９】
以上のように形成された液溜まり１８は、蒸気流に押しだされることによって、ひし形流路１１ｃから排出される。液滴径粗大化装置１０から蒸気乾燥部２０に流入した液溜まり１８は、相当部分が下方に落下しながら、波板型のベーン２１へ流入する。波板型のベーン２１では、粗大液滴のほぼ１００％を除去することができるため、蒸気乾燥部２０の出口、すなわち、蒸気乾燥器１の出口では極めて湿り度の少ない蒸気を得ることができる。
【００３０】
［第２の実施形態］
図６は、第２の実施形態に係る湿分分離ユニットの液滴径粗大化装置の１つのユニットの流路方向に沿った立断面図である。また、図７は、第２の実施形態に係る湿分分離ユニットの液滴径粗大化装置の１つのユニットの流路方向に垂直な立断面図である。
【００３１】
本実施形態に係る蒸気乾燥器１の液滴径粗大化装置１０は、それぞれのひし形流路１１ｃの内部には、流れ方向に障害物が２層に設けられている。すなわち、第１層ワイヤ１５ａ、および第１層ワイヤ１５ａの下流側に流れ方向に間隔をあけて第２層ワイヤ１５ｂが設けられている。ひし形流路１１ｃを流れ方向に透視すると、第１層ワイヤ１５ａと第２層ワイヤ１５ｂとは、互いに異なる位置にある。ここで、互いに異なる位置とは、第１層ワイヤ１５ａと第２層ワイヤ１５ｂとが、互いに交差する部分はあっても、互いに重なることがないことをいう。なお、第１層ワイヤ１５ａおよび第２層ワイヤ１５ｂの２層構造の場合を示したが、２層には限定はされない。３層以上の場合であってもよい。
【００３２】
このようにワイヤを多層構造とすることにより、上流側の第１層ワイヤ１５ａで捕獲しきれなかった微小液滴１６ｂ（図５）の一部を次層の第２層ワイヤ１５ｂで捕獲できる。捕獲された液滴は第１の実施形態と同様に、重力によりひし形流路１１ｃの底部へ移動し、粗大液滴が形成される。
【００３３】
［第３の実施形態］
図８は、第３の実施形態に係る湿分分離ユニットの液滴径粗大化装置の１つのユニットの流路方向に沿った立断面図である。また、図９は、第３の実施形態に係る湿分分離ユニットの液滴径粗大化装置の１つのユニットの流路方向に垂直な立断面図である。
【００３４】
本実施形態における液滴径粗大化装置１０のひし形管１１ａにはそれぞれ、障害物として、Ｘ字形のＸ字ワイヤ１５ｃが設けられている。すなわち、対向する管壁１１ｂの中央間に１本ずつワイヤを張り、２本のワイヤが中央で交差してＸ字形状となっている。
【００３５】
本実施形態は、Ｘ字ワイヤ１５ｃを張ることによって、蒸気の流速の速い流路断面の中央の領域で、ワイヤに液滴が衝突し、捕獲される確率を向上させることを期待できる。
【００３６】
［第４の実施形態］
図１０は、第４の実施形態に係る湿分分離ユニットの液滴径粗大化装置の１つのユニットの流路方向に沿った立断面図である。また、図１１は、第４の実施形態に係る湿分分離ユニットの液滴径粗大化装置の１つのユニットの流路方向に垂直な立断面図である。
【００３７】
本実施形態は、屈曲ひし形管１３ａを有する。屈曲ひし形管１３ａの管壁１３ｂには、流路の中央側に向かって凸となるような曲面が形成されている。屈曲ひし形管１３ａの内側の屈曲ひし形流路１３ｃの入り口近傍において、互いに対向する接合部間に、水平および鉛直に、それぞれ障害物としてのワイヤ１５が設けられている。
【００３８】
このような構成を取ることにより、対向する曲面同士の距離、ワイヤ１５と曲面との間の距離が短くなり、曲面に付着した液膜の間に凝集力が働き易くなる。これによって液膜同士が合体しやすくなる。その結果、より多くの液滴を捕集することが可能となる。
【００３９】
また、複数の屈曲ひし形管１３ａを積層することによって、互いに隣接する屈曲ひし形管１３ａの管壁１３ｂ間に間隙が生ずる。この間隙は、その断面積が、屈曲ひし形流路１３ｃの断面積に比べて小さいため、特にワイヤを設けなくとも、この間隙において、液膜の形成、合体が容易に行われ、同様の効果を得ることができる。
【００４０】
［第５の実施形態］
本実施形態は、第１ないし第４の実施形態の変形である。すなわち、第１ないし第４の実施形態による湿分分離ユニット２を湿分分離加熱器に適用したものである。
【００４１】
図１２は、第５の実施形態に係る湿分分離ユニットを適用した湿分分離加熱器の構成を示す立断面図である。蒸気乾燥器の一例である湿分分離加熱器（ＭＳＨ）４０は、発電所において高圧タービン（図示せず）からの蒸気を低圧タービン（図示せず）へ導く蒸気系統の経路上に設けられ、横向き円筒形状の本体容器４１、本体容器４１に収容された湿分分離ユニット２、第一段加熱器４２ａおよび第二段加熱器４２ｂを備える。
【００４２】
本体容器４１の底部には、例えば、２台の湿分分離ユニット２が互いに傾斜対向して配置され、その上方に第一段加熱器４２ａが配置され、さらにその上方に第二段加熱器４２ｂが配置される。また、二台の湿分分離ユニット２の間には、底板４３と、天井板４４とによって区画されたドレン流路４５が形成されている。
【００４３】
本体容器４１の内部には、その下部の被加熱蒸気入口４７から上部の被加熱蒸気出口４８にかけて流路仕切板５１、５２ａ、５２ｂが順次に配置され、湿分分離ユニット２、第一段加熱器４２ａおよび第二段加熱器４２ｂに、被加熱蒸気Ｓ０、Ｓ１を順次に導く流路が形成される。ドレン流路４５は、被加熱蒸気Ｓ０の流路から隔離される。流路仕切板５１と流路仕切板５２ａとで囲まれた空間は、湿分分離ユニット２の下流側に連通される。流路仕切板５２ａと流路仕切板５２ｂとで囲まれた空間は、第一段加熱器５２ａの下流側に連通される。
【００４４】
このように構成された湿分分離加熱器４０は、被加熱蒸気入口４７から流入する被加熱蒸気Ｓ０を湿分分離ユニット２に導き、湿分分離ユニット２で湿分分離された被加熱蒸気Ｓ１を生成し、続いて、被加熱蒸気Ｓ１を加熱器４２ａ、４２ｂへ導き、加熱器４２ａ、４２ｂによる加熱によって加熱蒸気Ｓ２を生成する。生成された加熱蒸気Ｓ２は被加熱蒸気出口４８から低圧タービンへ供給される。
【００４５】
以上の本第５の実施形態で示したように、第１ないし第４の実施形態による湿分分離ユニット２を、湿分分離加熱器４０に適用することができ、第１ないし第４の実施形態と同様の効果を奏する。
【００４６】
［他の実施形態］
以上、本発明のいくつかの実施形態を説明したが、これらの実施形態は、例として提示したものであり、発明の範囲を限定することは意図していない。また、液滴径粗大化装置１０の積層構造は、全体として傾斜を有していてもよい。
【００４７】
また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。
【００４８】
これら実施形態やその変形は、発明の範囲や要旨に含まれると同様に、特許請求の範囲に記載された発明とその均等の範囲に含まれるものである。
【００４９】
例えば、ワイヤ１５はひし形管１１ａの入口側端面に接するように設けられてもよい。また、例えば、図１３に示す破線の位置に外側からワイヤ１５を張り付ける等して設けてもよい。こうすることで、複数のひし形管１１ａに対して簡単にワイヤ１５を取り付けることができる。
【００５０】
また、この際、ワイヤ１５に沿うようにひし形管１１ａをわずかに切り欠けば、ワイヤ１５の位置決め性が上がり、また端面側にワイヤを突出させることなく設けることができる。さらに、ひし形管１１ａをあらかじめ軸方向に２分割しておき、上述したように切り欠いてからワイヤ１５を取り付けた後にワイヤ１５を挟み込むようにひし形管１１ａを連結すれば、流路の途中にワイヤ１５を簡単に設けることが可能である。
【００５１】
さらに、障害物はワイヤ１５に限られるものではなく、細い棒状等でも構わない。液滴が衝突すれば液滴粗大化に寄与するので、その材質も特に限定されない。ただし、各実施形態で説明したように蒸気乾燥器や湿分分離器に適用する場合は、長期間にわたって高温環境にさらされるため、これに耐える金属やセラミック等で構成することが好適である。
【００５２】
なお、ひし形管１１ａは複数積層されたものとして説明したが、これは管体を積層して形成することに限定したものではない。例えば、セラミックや金属の板に貫通穴を複数設けることで、管状の流路が隙間無く多数積層されたように形成されたものも含む。
【符号の説明】
【００５３】
１…蒸気乾燥器、２…湿分分離ユニット、１０…液滴径粗大化装置、１１ａ…ひし形管、１１ｂ…管壁、１１ｃ…ひし形流路（管状流路）、１２ａ、１２ｂ…三角管、１３ａ…屈曲ひし形管、１３ｂ…管壁、１３ｃ…屈曲ひし形流路（管状流路）、１４ａ、１４ｂ、１４ｃ、１４ｄ…接合部、１５…ワイヤ（障害物）、１５ａ…第１層ワイヤ（障害物）、１５ｂ…第２層ワイヤ（障害物）、１５ｃ…Ｘ字ワイヤ（障害物）、１６ａ…流入液滴、１６ｂ…微小液滴、１７…液膜、１８…液溜まり、２０…蒸気乾燥部、２１…ベーン、２１ａ…ベーンポケット、２２…ジグザク流路、３１…出口側多孔パネル、３２…ドレン処理部、３３…ドレン樋、３３ａ…ドレン孔、３４…ドレンチャンネル、３５…フード、３６…支持板、３７…蒸気入口開口部、３８…支持部材、４０…湿分分離加熱器（ＭＳＨ）、４１…本体容器、４２ａ…第一段加熱器、４２ｂ…第二段加熱器、４３…底板、４４…天井板、４５…ドレン流路、４７…被加熱蒸気入口、４８…被加熱蒸気出口、５１、５２ａ、５２ｂ…流路仕切板
【図１】
2015124925.tif 000003
【図２】
2015124925.tif 000004
【図３】
2015124925.tif 000005
【図４】
2015124925.tif 000006
【図５】
2015124925.tif 000007
【図６】
2015124925.tif 000008
【図７】
2015124925.tif 000009
【図８】
2015124925.tif 000010
【図９】
2015124925.tif 000011
【図１０】
2015124925.tif 000012
【図１１】
2015124925.tif 000013
【図１２】
2015124925.tif 000014
【図１３】
2015124925.tif 000015